(57)【要約】  【課題】  機器の小型化により携帯電話等の携帯機器に撮影機能が搭載されるようになり、撮影禁止の施設内などでも気軽に使われてしまうようなことがあった。  【解決手段】  無線機能を有する携帯装置１と制限信号発信装置３との組み合わせからなる機能制限システムである。制限信号発信装置３は、携帯装置１の特定の機能の使用を制限するための機能制限信号を発信するものとして構成されている。携帯装置１には、制限信号発信装置３から送信される機能制限信号を受信したときに、その機能制限信号が示す携帯装置の特定機能のみの動作を不能にする特定機能不能化手段２３が備えられている。【選択図】  図２
2005252379.tif 000002
【特許請求の範囲】
【請求項１】
無線機能を有する携帯装置と制限信号発信装置との組み合わせからなり、
前記制限信号発信装置は、前記携帯装置の特定の機能の使用を制限するための機能制限信号を発信するものとして構成され、
前記携帯装置には、前記制限信号発信装置から送信される前記機能制限信号を受信したときに、その機能制限信号が示す前記携帯装置の特定機能のみの動作を不能にする特定機能不能化手段が備えられて構成されている機能制限システム。
【請求項２】
それぞれ無線機能を有する携帯装置および他の携帯装置の組み合わせからなり、
前記他の携帯装置は、前記携帯装置の特定の機能の使用を制限するための機能制限信号を発信するものとして構成され、
前記携帯装置には、前記他の携帯装置から送信される前記機能制限信号を受信したときに、その機能制限信号が示す前記携帯装置の特定機能のみの動作を不能にする特定機能不能化手段が備えられて構成されている機能制限システム。
【請求項３】
それぞれ無線機能を有する携帯装置および他の携帯装置と制限信号発信装置との組み合わせからなり、
前記制限信号発信装置および他の携帯装置は、前記携帯装置の特定の機能の使用を制限するための機能制限信号を発信するものとして構成され、
前記携帯装置には、前記制限信号発信装置または前記他の携帯装置から送信される前記機能制限信号を受信したときに、その機能制限信号が示す前記携帯装置の特定機能のみの動作を不能にする特定機能不能化手段が備えられて構成されている機能制限システム。
【請求項４】
前記機能制限信号および前記特定機能不能化手段は、それぞれの関連する特定機能が撮影機能である請求項１から請求項３までのいずれかに記載の機能制限システム。
【請求項５】
前記機能制限信号および前記特定機能不能化手段は、それぞれの関連する特定機能が撮影時のシャッター音の出力機能または消音機能である請求項１から請求項４までのいずれかに記載の機能制限システム。
【請求項６】
前記機能制限信号および前記特定機能不能化手段は、それぞれの関連する特定機能が撮影時のストロボの発光機能または発光停止機能である請求項１から請求項５までのいずれかに記載の機能制限システム。
【請求項７】
前記機能制限信号および前記特定機能不能化手段は、それぞれの関連する特定機能が撮影時の撮影中報知の停止機能である請求項１から請求項６までのいずれかに記載の機能制限システム。
【請求項８】
前記機能制限信号および前記特定機能不能化手段は、それぞれの関連する特定機能が装置の音出力機能である請求項１から請求項７までのいずれかに記載の機能制限システム。
【請求項９】
前記音出力機能は、装置の操作音または着信音または警告音を出力する機能である請求項８に記載の機能制限システム。
【請求項１０】
前記制限信号発信装置は、前記機能制限信号を複数種類有し、前記特定機能不能化手段は、受信した各種類ごとの機能制限信号に応じて対応する特定機能の動作を並列的に不能にするように構成されている請求項１、請求項３から請求項９までのいずれかに記載の機能制限システム。
【請求項１１】
前記他の携帯装置は、前記機能制限信号を複数種類有し、前記特定機能不能化手段は、受信した各種類ごとの機能制限信号に応じて対応する特定機能の動作を並列的に不能にするように構成されている請求項２から請求項９までのいずれかに記載の機能制限システム。
【発明の詳細な説明】
【技術分野】
【０００１】
本発明は、撮影を制限するあるいは静寂さを保つ必要のある場所などで、自動的に撮影機能およびそれに付随する機能あるいは音を出す機能を制限するなど、特定の建物などの領域において機器の特定機能の動作を制限するシステムに関する。
【背景技術】
【０００２】
近年、携帯機器の小型、多機能化が進み、本来の機能に対する付加機能として各種の機能を盛り込んだ小型機器が多く登場して来た。このような付加機能は、機器の形態からは分かりにくい場合が多い。
【０００３】
例えば、携帯電話の形をしていても撮影機能を有しているもの、あるいはＰＤＡ（PersonalDigital Assistant）やノートパソコンの形態で撮影機能を有しているものなどが多く存在する。このような機器では、美術館などで撮影禁止の場所に持ち込んでも違和感が無いため、気づかずに撮影機能を利用してしまうこともある。また、カメラの形態をとっていない装置では、書店などで書籍の一部を撮影することなども比較的罪悪感なしに行われることがあり、社会問題となっている。また、図書館などで着信音などが突然鳴っていまい、周囲の人に迷惑をかけることもある。
【０００４】
しかし、これらの問題の解決は、機器を所有する者のモラルに任されているのが現状である。
【０００５】
従来の解決方法として、携帯端末を持ったユーザが特定機能の制限を必要とする領域に入る際に、携帯端末の電源を切るシステムがあった。
【０００６】
図５は従来の機能制限システムの一例である。４１は標識電波を受信することでバッテリーを制御して電源をオフする機能を有した携帯端末、４２は携帯端末の使用を禁止したい施設、４３は施設４２に取り付けられた発信機である。
【０００７】
発振機４３が取り付けられている映画館や病院などの施設４２に携帯端末４１を持ったユーザが入ると、携帯端末４１は発振機４３から送信される標識電波を受信し、その結果として、バッテリーからの電源供給が制御され、携帯端末４１の電源が自動的にオフにされる。
【０００８】
この方式によれば、携帯端末４１を携行しているユーザが施設４２に入ると同時に、携帯端末４１の電源を強制的にオフ状態にし、ユーザによる携帯端末４１の使用を自動的に不可能にすることができる。その結果、ユーザとしては意図して携帯端末４１の電源をオフする必要はない（例えば、特許文献１参照。）。
【特許文献１】特開平１１−１２７１０１号公報（第３頁、第１図）
【発明の開示】
【発明が解決しようとする課題】
【０００９】
しかしながら、上記従来の機能制限システムの場合には、施設内で装置の電源を自動オフするので、全ての機能が使用不可能になってしまう。そのため、使用を制限する必要のない機能を含む複数機能の複合機器に適用するとなると、使用制限が問題を生じる。
【００１０】
具体例を示すと、電話機能に加えてスケジュール管理やメモ機能などの付加機能が付いている携帯電話の場合には、映画館や病院などでは電話機能についてはこれを制限する必要があるが、全機能の使用制限を行うと、スケジュール管理やメモ機能などの付加機能が使用できなくなる。あるいは、撮影機能が付いている携帯電話の場合に、美術館や本屋などでは撮影機能についてはこれを制限する必要があるが、全機能の使用制限を行うと、電話機能も使用できなくなる。
【００１１】
本発明は上記従来の課題を解決するものであり、特定の場所や特定の状況では携帯装置の使用制限を行う必要のある場合に、電源を切って機器使用を全面的に禁止するのではなく、機能制限は制限の必要な機能のみに限定し、それ以外の機能は使用できるようにする機能制限システムを提供することを目的としている。
【課題を解決するための手段】
【００１２】
本発明は、上記の目的を達成するために次のような手段を講じる。
【００１３】
本発明による、携帯装置の特定機能を制限するための第１の機能制限システムは、無線機能を有する携帯装置と制限信号発信装置との組み合わせで成り立っている。制限信号発信装置は、携帯装置の特定の機能の使用を制限するための機能制限信号を発信するもので、その特定機能の使用の制限を要する領域に設置されるものである。また、携帯装置には、特定機能不能化手段を設ける。その特定機能不能化手段は、制限信号発信装置から送信される機能制限信号を受信したときに、その機能制限信号が示す携帯装置の特定機能のみの動作を不能にするものである。
【００１４】
上記の構成によれば、携帯装置を持ったユーザが制限信号発信装置の設置領域に至ると、制限信号発信装置が発信している機能制限信号を携帯装置で受信する。その結果、携帯装置の特定機能不能化手段は、その機能制限信号が示す特定機能の動作を不能にする。その他の機能については、その動作が制限されることはない。すなわち、選択的に機能制限が行える。
【００１５】
また、本発明による、携帯装置の特定機能を制限するための第２の機能制限システムは、無線機能を有する携帯装置と他の携帯装置との組み合わせで成り立っている。他の携帯装置は、当該の携帯装置の特定の機能の使用を制限するための機能制限信号を発信するものである。また、当該の携帯装置には、特定機能不能化手段を設ける。その特定機能不能化手段は、他の携帯装置から送信される機能制限信号を受信したときに、その機能制限信号が示す当該の携帯装置の特定機能のみの動作を不能にするものである。
【００１６】
上記の構成によれば、携帯装置を持ったユーザが他の携帯装置に接近すると、他の携帯装置が発信している機能制限信号を当該の携帯装置で受信する。その結果、当該の携帯装置の特定機能不能化手段は、その機能制限信号が示す特定機能の動作を不能にする。その他の機能については、その動作が制限されることはない。すなわち、選択的に機能制限が行える。
【００１７】
また、本発明による、携帯装置の特定機能を制限するための第３の機能制限システムは、無線機能を有する携帯装置および他の携帯装置と制限信号発信装置との組み合わせで成り立っている。制限信号発信装置および他の携帯装置は、当該の携帯装置の特定の機能の使用を制限するための機能制限信号を発信するものである。制限信号発信装置は、その特定機能の使用の制限を要する領域に設置される。また、当該の携帯装置には、特定機能不能化手段を設ける。その特定機能不能化手段は、制限信号発信装置または他の携帯装置から送信される機能制限信号を受信したときに、その機能制限信号が示す当該の携帯装置の特定機能のみの動作を不能にするものである。
【００１８】
上記の構成によれば、携帯装置を持ったユーザが制限信号発信装置の設置領域に至ると、制限信号発信装置が発信している機能制限信号を携帯装置で受信する。また、携帯装置を持ったユーザが他の携帯装置に接近すると、他の携帯装置が発信している機能制限信号を当該の携帯装置で受信する。いずれの場合も、その結果、携帯装置の特定機能不能化手段は、その機能制限信号が示す特定機能の動作を不能にする。その他の機能については、その動作が制限されることはない。すなわち、選択的に機能制限が行える。
【００１９】
上記の各機能制限システムにおいて、制御対象の特定機能については、以下のような様々な態様がある。
【００２０】
（ａ）前記機能制限信号および前記特定機能不能化手段が、それぞれの関連する特定機能を撮影機能とするものとして構成されている。
【００２１】
これによれば、例えば、携帯電話などに撮影機能を有するような携帯装置の場合に、美術館など撮影禁止の場所においては、携帯電話の機能は停止することなく、撮影機能を自動的に禁止し、不用意な利用を防ぐことができる。
【００２２】
（ｂ）前記機能制限信号および前記特定機能不能化手段が、それぞれの関連する特定機能を撮影時のシャッター音の出力機能または消音機能とするものとして構成されている。
【００２３】
これによれば、特定機能がシャッター音の出力機能の場合に、そのシャッター音の出力を禁止する。また、特定機能がシャッター音の消音機能の場合には、シャッター音を強制的に出力させる。前者の場合は、静寂が求められる公共的な場所で効果を発揮する。後者の場合には、撮影は禁止されていないが節度が必要とされるような場所において、もし撮影を行えばシャッター音の強制オンにより撮影していることを積極的に分からせるので、結果として、無秩序な撮影行為を防ぐことができる。
【００２４】
（ｃ）前記機能制限信号および前記特定機能不能化手段が、それぞれの関連する特定機能を撮影時のストロボの発光機能または発光停止機能とするものとして構成されている。
【００２５】
これによれば、特定機能がストロボの発光機能の場合に、そのストロボの発光を禁止する。また、特定機能がストロボの発光停止機能の場合には、ストロボを強制的に発光させる。前者の場合は、発光が禁止されている公共的な場所で効果を発揮する。後者の場合には、撮影は禁止されていないが節度が必要とされるような場所において、もし撮影を行えばストロボの強制発光により撮影していることを積極的に分からせるので、結果として、無秩序な撮影行為を防ぐことができる。
【００２６】
（ｄ）前記機能制限信号および前記特定機能不能化手段が、それぞれの関連する特定機能を撮影時の撮影中報知の停止機能とするものとして構成されている。
【００２７】
これによれば、撮影は禁止されていないが節度が必要とされるような場所において、もし撮影を行えば撮影中であるとのランプ点灯などの報知が強制的に行われてしまうので、結果として、無秩序な撮影行為を防ぐことができる。
【００２８】
（ｅ）前記機能制限信号および前記特定機能不能化手段が、それぞれの関連する特定機能を装置の音出力機能とするものとして構成されている。例えば、装置の操作音または着信音または警告音を出力する機能である。
【００２９】
これによれば、周囲の不特定多数人のために静寂が求められる公共的な場所では、装置の操作音または着信音または警告音などの出力を強制的に停止させるので、効果を発揮する。
【００３０】
また、上記の構成において、制限信号発信装置または他の携帯装置が機能制限信号を複数種類有する一方、特定機能不能化手段が、受信した各種類ごとの機能制限信号に応じて対応する特定機能の動作を並列的に不能にするような構成も好ましい。
【００３１】
これによれば、条件に応じた組み合わせで機能制限を効果的に実現することができる。
【発明の効果】
【００３２】
以上のように本発明によれば、特定の領域のみに発信される機能制限信号により、その領域内での携帯装置の特定機能の有効無効を強制的に設定することができる。
【００３３】
例えば、撮影機能を有する携帯電話の場合に、美術館など撮影禁止の場所で、携帯電話の機能を停止することなく、撮影機能を不用意に利用してしまうことを防ぐことができる。
【００３４】
また、撮影自体は許可されていても、ストロボ発光が美術品などを傷める、あるいは動物などが驚く、あるいは放送や別の撮影の理由でストロボ発光が禁止されているといった場所があるが、機器がオート発光に設定されているような場合にユーザが意図せずにストロボ発光してしまうことを防ぐことができる。
【００３５】
また、撮影は禁止されていないが節度が必要とされるような場所で、撮影ランプの発光やストロボの強制発光やシャッター音の強制オンにより撮影していることを明示するよう設定することで、無秩序な撮影行為を防ぐことができる。
【００３６】
また、図書館など静寂が要求される場所で、着信音や操作音などを停止することにより、周囲に迷惑をかけることを防ぐことができる。
【００３７】
また、携帯機器で機能制限信号を発生することにより、近傍の機器での迷惑行為を防ぐことができる。
【００３８】
これらの機器設定が、その領域に対して適切に自動的に設定されることで、ユーザが初期設定をその都度変更する手間が省け、モラルのみに頼らずとも迷惑行為を未然に防止することができる。
【発明を実施するための最良の形態】
【００３９】
以下、本発明にかかわる機能制限システムの実施の形態を図面に基づいて詳細に説明する。
【００４０】
（実施の形態１）
図１は本発明の実施の形態１における機能制限システムの構成例を示したものである。
【００４１】
１は携帯装置である。この携帯装置１は、例えばＰＤＡやノートパソコンや携帯電話などであり、特定の機能制限信号を受信することで、特定機能のオン／オフを制御する機能を有する。
【００４２】
２は施設である。これは、携帯装置１の特定機能の使用を禁止したい領域、例えば映画館や本屋や電車の車両などである。公園などのオープンな施設であってもよい。
【００４３】
３は制限信号発信装置である。赤外線等の光や電波を使った無線手段により、特定の機能制限信号を発信する。施設２の構造などの都合によっては、制限信号発信装置３を複数設けてもよい。また、制限信号発信装置３の発信する機能制限信号を複数種類とすることで、制限する機能を２つ以上選択的にオン／オフする構成としてもよい。
【００４４】
制限信号発信装置３が取り付けられている施設２に携帯装置１を持ったユーザが入ると、携帯装置１は、制限信号発信装置３から送信される機能制限信号を受信することに基づいて、撮影機能など特定機能の動作の許可／禁止を自動的に制御し、特定機能をオン／オフする。この特定機能のオン／オフ自動設定としては撮影機能のオフのほか、撮影時のシャッター音を出す機能の強制オンあるいは強制オフ、あるいは撮影時のストロボ発光機能の強制オフあるいは強制オン、撮影中を表示する機能のオン、操作音や着信音や警告音など外部に音を出す機能のオフなどがある。また、機能制限信号の種類を複数持つことで、機能制限信号の種類に従って２つ以上の設定を自動的に制御するようにしてもよい。
【００４５】
図２は携帯装置１の一例である携帯電話の構成を示したものである。以下、図２に従って具体的に説明する。
【００４６】
１は携帯装置である。ここではカメラ撮影機能を有する携帯電話を例に示している。
【００４７】
２１は受信手段である。アンテナからの電波を受信し、通話中は受話音声を受信し、通常は特定機能不能化手段２３に受信信号を出力する。
【００４８】
２２は送信手段である。通話中は音声信号を送信する。
【００４９】
２３は特定機能不能化手段である。特定機能不能化手段２３では受信手段２１による受信信号から、特定機能のオン／オフの機能制限信号を抽出し、機能制限信号の種類に従ってそれぞれの許可禁止信号を出力する。出力する許可禁止信号としては、撮影機能のオフ、撮影時のシャッター音を出す機能の強制オンあるいは強制オフ、撮影時のストロボ発光機能の強制オフあるいは強制オン、撮影中を表示する機能のオン、操作音や着信音や警告音など外部に音を出す機能のオフが出力される。また、機能制限信号の種類に従って２つ以上の設定を制御するようにしてもよい。
【００５０】
２４はカメラである。シャッター２５の指示により撮影を行う。
【００５１】
２５はシャッターである。特定機能不能化手段２３から許可信号が出ている場合、ユーザのシャッターボタン操作によりカメラ２４の撮影を指示する。特定機能不能化手段２３から許可信号が出ていない場合、ユーザがシャッターボタンを操作しても撮影は行われない。なお、撮影の解像度によってはシャッターが切れるようにしてもよい。例えば一定以下の低解像度の撮影モードでのみシャッターを切ることができるといった構成にしてもよい。
【００５２】
２６はシャッター音発生手段である。通常は携帯装置１の初期設定等によりユーザがカメラ撮影をする場合にシャッター音を出すか出さないかを選択することができるが、特定機能不能化手段２３からシャッター音を出す機能の強制オンが出力されている場合は、強制的にシャッター音を出す。また、特定機能不能化手段２３からシャッター音を出す機能の強制オフが出力されているときは、強制的にシャッター音を止める。
【００５３】
２７はストロボである。通常はユーザの指示で発光、非発光、周囲の明るさによるオート発光設定などが可能であるが、特定機能不能化手段２３からストロボ発光機能の強制オンが出力されている場合は、撮影時強制的に常にストロボを発光する。また、特定機能不能化手段２３からストロボを発光する機能の強制オフが出力されているときは、強制的にストロボ発光を禁止する。
【００５４】
２８は撮影中を表示する記録ランプ制御手段である。通常はユーザの指示で点灯、非点灯の設定が可能であるが、特定機能不能化手段２３から撮影中を表示する機能のオンが出力されている場合、撮影中に強制的にランプが点灯する。
【００５５】
２９は操作音発生手段である。通常は、携帯装置１のボタン操作を行うと、操作時にクリック音などの音を出す。あるいは、ユーザの操作ミスや電池切れが近い場合などユーザに問題が発生していることを知らせる警告音を発生する。携帯電話の場合は、着信時にメロディを発生する機能も含まれる。
【００５６】
なお、携帯装置１を持つユーザが機能制限信号が届かない領域に出た場合、設定状態は自動的に施設２に入る直前の状態に戻るが、施設２で一度設定された状態を携帯装置１の設定としてそのまま保つようにしてもよい。これは例えば、制限信号発信装置３の電波を微弱にして、施設のゲートなど施設内の限定された場所のみで有効になる程度にすることで、施設２の外で携帯装置１が誤動作するような影響を抑えることができる。
【００５７】
以上のように本発明によれば、制限信号発信装置３から機能制限信号が届いているところでは携帯装置１が受信した機能制限信号の種類に従って機能のオン／オフを制御することで、施設２の内部でカメラ撮影機能など特定機能の有効無効が固定できる。携帯装置１を携帯しているユーザが意図して携帯装置１の特定機能を設定することなく、装置機能を施設２に適切な状態に自動設定できる。
【００５８】
（実施の形態２）
本発明の実施の形態２における機能制限システムは、他の携帯装置との組み合わせも考慮したものである。図３は本発明の実施の形態１における機能制限システムの構成例を示したものである。
【００５９】
他の携帯装置１ａは、近隣の携帯装置１の特定機能を制限する目的で制限信号発信装置３と同様の特定機能をオン／オフするための機能制限信号を発信する機能を有する。発信する機能制限信号を複数種類有することで、制限する機能を２つ以上選択的にオン／オフする構成としてもよい。
【００６０】
制限信号発信装置３が取り付けられている施設２に携帯装置１を持ったユーザが入るか、あるいは近傍に機能制限信号を出力する別のユーザの携帯装置１ａが存在する場合、携帯装置１はこれらから送信される機能制限信号を受信することで、撮影機能など特定機能の動作の許可／禁止を自動的に制御し、特定機能をオン／オフする。
【００６１】
図４は他の携帯装置１ａの一例である機能制限信号発生手段機能を有する携帯電話の構成を示したものである。以下、図４に従って具体的に説明する。
【００６２】
送信手段２２は、機能制限信号発生手段３０で機能制限信号を出力している場合は、その信号を送信する。
【００６３】
３０は機能制限信号発生手段である。ユーザの設定に従って各種の機能制限信号を発生する。
【００６４】
携帯装置１の方にも同じような機能制限信号発生手段３０を備えるのを原則とする。ただし、携帯装置１には機能制限信号発生手段３０がない場合も含む。
【００６５】
同様の携帯装置を持つ不特定多数の人々がいる場所で、ユーザが例えば音を出して欲しくない場合や撮影をさせたくない場合に、それぞれに対応する機能制限信号を発生することで、機能制限信号の届く近傍のユーザに対して機能制限信号発生手段３０で設定した機能の使用を制限させることができる。制限信号発信装置３によって発信される信号に比べて微弱な信号強度とすることで、影響の及ぶ範囲は限定できる。
【００６６】
なお、機能制限信号を受信して機能を制限している場合は、携帯装置１のディスプレイ表示などに、どの機能を制限しているかの表示を行うようにしてもよい。これにより、機器が故障しているなどの誤解を防ぐことができる。
【００６７】
以上のように本発明によれば、制限信号発信装置３あるいは他の携帯装置から機能制限信号が届いているところでは、携帯装置１が受信した機能制限信号の種類に従って機能のオン／オフを制御することで、施設２の内部でカメラ撮影機能など特定機能の有効無効が固定できる。携帯装置１を携帯しているユーザが意図して携帯装置１の特定機能を設定することなく、その場所に適切な状態に機器の機能を自動設定できる。
【産業上の利用可能性】
【００６８】
本発明の機能制限システムは、公共的な場所で使用されることの多い携帯装置において、その不用意な使用が迷惑を与えることとなるような特定機能を自動的に禁止するシステム等として有用である。
【図面の簡単な説明】
【００６９】
【図１】本発明の実施の形態１における機能制限システムの構成を説明するための図
【図２】本発明の実施の形態１の携帯装置の一例である携帯電話の構成を示すブロック図
【図３】本発明の実施の形態２における機能制限システムの構成を説明するための図
【図４】本発明の実施の形態２の他の携帯装置の一例である機能制限信号発生機能を有する携帯電話の構成を示すブロック図
【図５】従来方式における機能制限システムの一例の説明図
【符号の説明】
【００７０】
１…携帯装置
１ａ…他の携帯装置
２…携帯装置の特定機能の使用制限が求められる施設
２１…受信手段
２２…送信手段
２３…特定機能不能化手段
２４…カメラ
２５…シャッター
２６…シャッター音発生手段
２７…ストロボ
２８…記録ランプ制御手段
２９…操作音発生手段
３０…機能制限信号発生手段
【図１】
2005252379.tif 000003
【図２】
2005252379.tif 000004
【図３】
2005252379.tif 000005
【図４】
2005252379.tif 000006
【図５】
2005252379.tif 000007